(57)【要約】      （修正有）【課題】紺青が空気中に飛散しにくく、家畜が効率的に紺青を摂取することができる家畜用飼料添加剤ペレットを提供する。【解決手段】ポリビニルアルコールおよび紺青を含有する平均粒子径１〜１０ｍｍの球状の家畜用飼料添加剤ペレット３であって、該ポリビニルアルコールは、粘度平均重合度３００〜４０００であり、けん化度７０〜９９．９９モル％であり、該ポリビニルアルコールと該紺青との質量比（ポリビニルアルコール／紺青）が３／９７〜５０／５０である家畜用飼料添加剤ペレット３。【選択図】図１
0003177185.tif 000002
【実用新案登録請求の範囲】
【請求項１】
ポリビニルアルコールおよび紺青を含有する平均粒子径１〜１０ｍｍの家畜用飼料添加剤であって、
該ポリビニルアルコールは、粘度平均重合度３００〜４０００であり、けん化度７０〜９９．９９モル％であり、
該ポリビニルアルコールと該紺青との質量比（ポリビニルアルコール／紺青）が３／９７〜５０／５０である家畜用飼料添加剤。
【請求項２】
前記紺青の表面の７０％以上が、前記ポリビニルアルコールに覆われている請求項１に記載の家畜用飼料添加剤。
【考案の詳細な説明】
【技術分野】
【０００１】
本考案は、ポリビニルアルコールおよび紺青を含有する家畜用飼料添加剤に関する。詳細には、紺青が空気中に飛散しにくく、効率的に紺青を摂取することが可能な家畜用飼料添加剤に関する。
【背景技術】
【０００２】
紺青は、一般式ＡｘＦｅ［Ｆｅ（ＣＮ）６］ｙ・ｚＨ２Ｏ（Ａ＝ＮＨ４、Ｋ、Ｆｅ）で表される青色の無機顔料の１種である。紺青は、主に印刷インキに使用されるほか、ペンキ、絵の具、化粧品などの着色剤として幅広い用途に使用されている。
【０００３】
また、紺青は放射性セシウムＣｓ−１３７を取り込むことが知られており、この性能を活かして、医薬品や家畜用飼料としての紺青を含有するセシウム除去剤が検討されている（非特許文献１参照）。これまでにも、家畜牛に紺青を投与し、その家畜牛から出る牛乳中のセシウムＣｓ−１３７濃度を測定するといった試みが行われてきたが（非特許文献２参照）、粒子状の紺青は空気中に飛散しやすいため、効率的に紺青を摂取できないという問題があった。
【０００４】
このような現状下、粒子状の紺青が空気中に飛散することなく、効率的に紺青を摂取することが可能な家畜用飼料添加剤が望まれていた。
【先行技術文献】
【非特許文献】
【０００５】
【非特許文献１】「大日精化  製品案内  顔料  紺青Ｑ＆Ａ」、［Ｏｎｌｉｎｅ］、大日精化工業株式会社、［２０１２年３月検索］、インターネット＜ＵＲＬ：ｈｔｔｐ：／／ｗｗｗ．ｄａｉｃｏｌｏｒ．ｃｏ．ｊｐ／ｐｒｏｄｕｃｔｓ＿ｉ／ｐｒｏ＿ｉ＿ｐｉｇ／ｍｉｌｏｒｉｂｌｕｅｑａ．ｈｔｍｌ＃ｑ９＞
【非特許文献２】「Ｃｈｅｒｎｏｂｙｌ'ｓ  Ｌｅｇａｃｙ」、［Ｏｎｌｉｎｅ］、２００６年４月、ＩＡＥＡ、［２０１２年３月検索］、インターネット＜ＵＲＬ：ｈｔｔｐ：／／ｗｗｗ．ｉａｅａ．ｏｒｇ／Ｐｕｂｌｉｃａｔｉｏｎｓ／Ｂｏｏｋｌｅｔｓ／Ｃｈｅｒｎｏｂｙｌ／ｃｈｅｒｎｏｂｙｌ．ｐｄｆ＞
【考案の概要】
【考案が解決しようとする課題】
【０００６】
本考案は上記のような事情に基づいてなされたものであり、粒子状の紺青が空気中に飛散しにくく、家畜が効率的に紺青を摂取することが可能な家畜用飼料添加剤を提供することを目的とする。
【課題を解決するための手段】
【０００７】
すなわち、本考案は、
［１］ポリビニルアルコールおよび紺青を含有する平均粒子径１〜１０ｍｍの家畜用飼料添加剤であって、該ポリビニルアルコールは、粘度平均重合度３００〜４０００であり、けん化度７０〜９９．９９モル％であり、該ポリビニルアルコールと該紺青との質量比（ポリビニルアルコール／紺青）が３／９７〜５０／５０である家畜用飼料添加剤；
［２］前記紺青の表面の７０％以上が、前記ポリビニルアルコールに覆われている上記［１］の家畜用飼料添加剤；
に関する。
【考案の効果】
【０００８】
上記家畜用飼料添加剤によれば、粒子状の紺青が空気中に飛散しにくく、家畜が効率的に紺青を摂取することができる。
【図面の簡単な説明】
【０００９】
【図１】図１は、本考案の家畜用飼料添加剤を、家畜用飼料と混合して家畜に与えた場合の一例の図である。
【考案を実施するための形態】
【００１０】
以下、本考案の家畜用飼料添加剤の実施の形態について説明する。
【００１１】
［家畜用飼料添加剤］
本考案の家畜用飼料添加剤は、ポリビニルアルコール（以下、「ＰＶＡ」と略記することがある。）および紺青を含有する平均粒子径１〜１０ｍｍの家畜用飼料添加剤であって、該ＰＶＡは、粘度平均重合度３００〜４０００であり、けん化度７０〜９９．９９モル％であり、該ＰＶＡと該紺青との質量比（ＰＶＡ／紺青）が３／９７〜５０／５０である。
【００１２】
本考案の家畜用飼料添加剤は、特定のＰＶＡと紺青とを特定量含有し、さらに特定の平均粒子径を有することで、粒子状の紺青が空気中に飛散しにくく、家畜が効率的に紺青を摂取することが可能である。このような優れた効果を奏する理由は必ずしも明らかになってはいないが、上記ＰＶＡが紺青のバインダーとして作用することで、得られる家畜用飼料添加剤からの紺青の飛散が抑えられるものと考えられる。
【００１３】
本考案の家畜用飼料添加剤が給餌される家畜は特に限定されず、例えば、牛、鶏、豚、馬、羊、犬、猫等が挙げられる。また、本考案の家畜用飼料添加剤は、市販の家畜用飼料と混合して家畜に給餌することが好ましく（図１参照）、混合される市販の家畜用飼料は特に限定されない。
【００１４】
本考案の家畜用飼料添加剤の平均粒子径は、１〜１０ｍｍである必要があり、１．５〜９ｍｍであることが好ましく、２〜８ｍｍであることがより好ましい。家畜用飼料添加剤の平均粒子径が１ｍｍ未満の場合は、家畜用飼料添加剤の生産性が低下し、一方、１０ｍｍを超える場合は、家畜用飼料添加剤の表面積が大きくなりすぎるため、紺青が飛散しにくい家畜用飼料添加剤を作製することが困難となる。なお、本明細書における家畜用飼料添加剤の平均粒子径とは、電子顕微鏡を用いて測定した家畜用飼料添加剤の長径を意味する。
【００１５】
本考案の家畜用飼料添加剤の形状としては、平均粒子径１〜１０ｍｍであること以外は特に限定されず、球状、直方体状、立方体状、円柱状、紡錘状等の形状をとり得る。その中でも、紺青がより一層飛散しにくく、生産が容易な点から、球状であることが好ましい。
【００１６】
本考案の家畜用飼料添加剤中の紺青の分散形態は特に限定されないが、上記紺青の表面の７０％以上が、上記ＰＶＡに覆われていることが好ましく、８０％以上がより好ましく、９０％以上がさらに好ましく、１００％が最も好ましい。紺青の表面の大半がＰＶＡで覆われていることにより、家畜用飼料添加剤からの紺青の飛散がより一層抑制される。
【００１７】
本考案の家畜用飼料添加剤において、ＰＶＡと紺青との質量比（ＰＶＡ／紺青）は、３／９７〜５０／５０である必要があり、５／９５〜４０／６０が好ましく、７／９３〜３０／７０がより好ましい。ＰＶＡと紺青との質量比（ＰＶＡ／紺青）が３／９７未満である場合は、ＰＶＡの含有量が少なすぎるためバインダー力が低下し、紺青の空気中への飛散が十分抑制できず、一方、５０／５０を超える場合は、吸湿性の高いＰＶＡの含有量が多すぎるため、ＰＶＡの吸湿により家畜用飼料添加剤同士が膠着して取り扱い性が低下する。
【００１８】
（紺青）
本考案の家畜用飼料添加剤に含有される紺青の化学構造は、一般的に、ＭＫＦｅ［Ｆｅ（ＣＮ）６］（但し、ＭはＫ、ＮａまたはＮＨ４のいずれか１種である。）で表される。具体的に用いられる紺青としては、大日精化株式会社製のＭＩＬＯＲＩ  ＢＬＵＥ  ９０５、ＭＩＬＯＲＩ  ＢＬＵＥ  ＮＢＢ−２Ａ、ＭＩＬＯＲＩ  ＢＬＵＥ  Ｎ６５０、ＭＩＬＯＲＩ  ＢＬＵＥ  ６９０、ＭＩＬＯＲＩ  ＢＬＵＥ  ６９０ＢＢ、ＭＩＬＯＲＩ  ＢＬＵＥ  ６９０Ｈ等が挙げられる。
【００１９】
上記紺青の大きさは特に限定さればいが、平均粒子径は０．０１〜１μｍが好ましく、０．０２〜０．５μｍがより好ましく、０．０３〜０．３μｍがさらに好ましい。紺青の平均粒子径が上記範囲内であることにより、紺青の分散性が向上するため、家畜用飼料添加剤を容易に製造することができる。なお、本明細書における紺青の平均粒子径とは、電子顕微鏡を用いて測定した紺青の長径を意味する。
【００２０】
（ＰＶＡ）
本考案の家畜用飼料添加剤に含有されるＰＶＡは、ビニルアルコール単位（−ＣＨ２−ＣＨＯＨ−）を含む重合体であり、さらに他の単量体単位を有していてもよい。また、当該ＰＶＡの粘度平均重合度は３００〜４０００、けん化度は７０〜９９．９９モル％である。
【００２１】
ＰＶＡの粘度平均重合度は３００〜４０００である必要があり、１０００〜３５００が好ましく、１５００〜３０００がより好ましい。ＰＶＡの粘度平均重合度が４０００を超えると、該ＰＶＡの生産性が低下して実用的でない。また、ＰＶＡの粘度平均重合度が３００未満の場合は、ＰＶＡのバインダーとしての性能が低下するため、家畜用飼料添加剤から紺青が飛散しやすくなる。なお、ＰＶＡの粘度平均重合度は、ＪＩＳ  Ｋ６７２６に準じて測定される値である。
【００２２】
上記ＰＶＡのけん化度は、７０モル％以上９９．９９モル％以下である必要があり、７５モル％以上９９．５モル％以下が好ましく、８０モル％以上９９モル％以下がより好ましい。ＰＶＡのけん化度が７０モル％未満の場合は、ＰＶＡのバインダーとしての性能が低下するため、家畜用飼料添加剤から紺青が飛散しやすくなる。一方、ＰＶＡのけん化度が９９．９９モル％を超えると、ＰＶＡの生産が困難になるので実用的ではない。なお、上記ＰＶＡのけん化度は、ＪＩＳ  Ｋ６７２６に準じて測定し得られる値である。
【００２３】
当該ＰＶＡの製造方法は特に限定されないが、通常は、酢酸ビニルに代表されるビニルエステル系単量体を各種方法（塊状重合、メタノール等を溶媒とする溶液重合、乳化重合、懸濁重合等）で重合した後、公知の方法(アルカリケン化、酸ケン化等）によりけん化することによって得られる。なお、上記ビニルエステル系単量体としては、酢酸ビニル、ギ酸ビニル、プロピオン酸ビニル、バーサチック酸ビニル、ピバリン酸ビニル等を挙げることができるが、重合制御性、入手容易性等から酢酸ビニルが好ましい。
【００２４】
重合に際して、本考案の趣旨を損なわない範囲で共重合可能なエチレン性不飽和単量体が共重合してもよい。このようなエチレン性不飽和単量体としては、エチレン、プロピレン、１−ブテン、イソブテン等のα−オレフィン類；アクリル酸；アクリル酸エステル類；メタクリル酸；メタクリル酸エステル類；ビニルエーテル類；ニトリル類；塩化ビニル；アリル化合物；カルボキシル基含有化合物及びそのエステルや酸無水物；ジアセトン基含有化合物；酢酸イソプロペニル；３−（メタ）アクリルアミドプロピルトリメチルアンモニウムクロライドなどが挙げられる。
【００２５】
このようなエチレン性不飽和単量体の中でも、エチレン、プロピレン等のα−オレフィン類が好ましく、エチレンがより好ましい。上記ＰＶＡがα−オレフィン単位を有することで、得られるＰＶＡの耐水性が向上し、該ＰＶＡを含有する家畜用飼料添加剤同士の膠着がより一層抑えられるため好ましい。ＰＶＡ中のα−オレフィン単位の含有率は、２０モル％以下が好ましく、１５モル％以下がより好ましく、１０モル％以下がさらに好ましい。なお、ここで言うα−オレフィン単位の含有率とは、ＰＶＡを構成する全単量体単位（ビニルアルコール単位、α−オレフィン単位、ビニルエステル単位等）のモル数に対するα−オレフィン単位のモル数の割合（モル％）を表す。
【００２６】
［家畜用飼料添加剤の製造方法］
家畜用飼料添加剤の製造方法は特に限定されないが、ＰＶＡの水溶液と紺青とを混合した後、スプレードライ、凍結乾燥、含水押出等の成形方法が採用され得る。
【００２７】
本考案の家畜用飼料添加剤は、特定のＰＶＡと紺青とを特定量含有し、さらに特定の平均粒子径を有する。したがって、この家畜用飼料添加剤を含有する家畜用飼料を家畜に給餌することにより、家畜の体内に存在する放射性セシウムＣｓ−１３７を効率的に低減させることができる。
【実施例】
【００２８】
以下、実施例および比較例により本考案を詳細に説明する。
【００２９】
下記の実施例で使用したＰＶＡについて、以下の方法にしたがって評価を行った。また、下記の実施例で使用した紺青の平均粒子径、および得られたペレット（家畜用飼料添加剤）の平均粒子径を、以下の方法にしたがって測定した。
【００３０】
［ＰＶＡの粘度平均重合度およびけん化度］
ＰＶＡの粘度平均重合度およびけん化度は、ＪＩＳ  Ｋ６７２６に記載の方法により求めた。
【００３１】
［家畜用飼料添加剤および紺青の平均粒子径］
家畜用飼料添加剤および紺青の平均粒子径は、走査型電子顕微鏡「Ｓ−２１００日立走査型電子顕微鏡」を用いてそれぞれ測定した。
【００３２】
（実施例１）
粘度平均重合度１，７００、けん化度９８モル％の無変性ＰＶＡ３０質量部を水２７０質量部に溶解し、そこに紺青（大日精化株式会社製；ＭＩＬＯＲＩ  ＢＬＵＥ  ９０５、平均粒子径０．０８μｍ）７０質量部を添加し、撹拌することで、紺青分散液を調製した。得られた紺青分散液について、押出機を用いて含水押出することで、平均粒子径５ｍｍの球状のペレット（家畜用飼料添加剤）を作製した。
【００３３】
（実施例２）
無変性ＰＶＡの代わりに、粘度平均重合度１，７００、けん化度９３モル％、エチレン変性率５モル％のエチレン変性ＰＶＡを用いたこと以外は、実施例１と同様の方法により、平均粒子径５ｍｍの球状のペレット（家畜用飼料添加剤）を作製した。
【００３４】
（比較例１）
無変性ＰＶＡの代わりにでんぷん（日本食品化工株式会社製；ＭＳ−３８００）を用いたこと以外は実施例１と同様の方法により、平均粒子径５ｍｍの球状のペレットを（家畜用飼料添加剤）作製した。
【００３５】
（比較例２）
無変性ＰＶＡの代わりにカルボキシメチルセルロース（日本製紙ケミカル株式会社製；サンローズ（登録商標）  Ａ０２ＳＨ）を用いたこと以外は実施例１と同様の方法により、平均粒子径５ｍｍの球状のペレット（家畜用飼料添加剤）を作製した。
【符号の説明】
【００３６】
１  家畜
２  餌箱
３  本考案の家畜用飼料添加剤
４  家畜用飼料
【図１】
0003177185.tif 000003
【手続補正書】
【提出日】平成24年5月30日(2012.5.30)
【手続補正１】
【補正対象書類名】実用新案登録請求の範囲
【補正対象項目名】全文
【補正方法】変更
【補正の内容】
【実用新案登録請求の範囲】
【請求項１】
ポリビニルアルコールおよび紺青を含有する平均粒子径１〜１０ｍｍの球状の家畜用飼料添加剤ペレットであって、
該ポリビニルアルコールは、粘度平均重合度３００〜４０００であり、けん化度７０〜９９．９９モル％であり、
該ポリビニルアルコールと該紺青との質量比（ポリビニルアルコール／紺青）が３／９７〜５０／５０である家畜用飼料添加剤ペレット。
【請求項２】
前記紺青の表面の７０％以上が、前記ポリビニルアルコールに覆われている請求項１に記載の家畜用飼料添加剤ペレット。
【手続補正２】
【補正対象書類名】明細書
【補正対象項目名】０００７
【補正方法】変更
【補正の内容】
【０００７】
すなわち、本考案は、
［１］ポリビニルアルコールおよび紺青を含有する平均粒子径１〜１０ｍｍの球状の家畜用飼料添加剤ペレットであって、該ポリビニルアルコールは、粘度平均重合度３００〜４０００であり、けん化度７０〜９９．９９モル％であり、該ポリビニルアルコールと該紺青との質量比（ポリビニルアルコール／紺青）が３／９７〜５０／５０である家畜用飼料添加剤ペレット；
［２］前記紺青の表面の７０％以上が、前記ポリビニルアルコールに覆われている上記［１］の家畜用飼料添加剤ペレット；
に関する。